(57)【特許請求の範囲】
【請求項１】
エレベータ昇降路の上部に設けられたエレベータ機械室の機器と、上記エレベータ昇降路内を昇降するエレベータかごの機器との通信を無線で行うエレベータ用無線通信装置において、
上記エレベータ機械室の機器と上記エレベータかごのそれぞれに短距離通信用アンテナと長距離通信用アンテナの送受信をそれぞれ行う複数種類のアンテナを設けたエレベータ用無線通信装置であって、
エレベータ制御盤から上記エレベータかごの機器に出力されるエレベータ制御信号に含まれるエレベータかごの階床位置を示すインジケータ信号を識別し、上記エレベータかごの階床位置が所定の階床位置になったときにアンテナ切換指令を出力するインジケータ識別手段と、
上記インジケータ識別手段からの上記アンテナ切換指令に基づいて、使用するアンテナを、短距離領域では上記短距離通信用アンテナ、長距離領域では上記長距離通信用アンテナにそれぞれ切換えて無線通信を行うアンテナ切換手段と
を備えていることを特徴とするエレベータ用無線通信装置。
【請求項２】
上記インジケータ識別手段から上記アンテナ切換手段への指示の際に出力されるアンテナ切換信号は、エレベータ制御信号の無信号領域である通信データのない通信待ち状態の領域で出力されることを特徴とする請求項１記載のエレベータ用無線通信装置。
【発明の詳細な説明】
【０００１】
【発明の属する技術分野】
この発明は、エレベータ用無線通信装置に関し、特に、短距離通信用アンテナと長距離通信用アンテナの複数種類のアンテナを搭載したエレベータ用無線通信装置に関するものである。
【０００２】
【従来の技術】
従来のエレベータの通信装置として、例えば特開６３−３０００８４号公報に記載されているようなエレベータの通信装置がある。このエレベータの通信装置では、エレベータ機械室側に鋭い指向性のアンテナを有する電波通信装置を取り付け、エレベータかご側にビーム幅の広いアンテナを有する電波通信装置を取り付けることにより、エレベータでの電波通信の信頼性を向上させている。
【０００３】
【発明が解決しようとする課題】
しかしながら、上記の様な従来のエレベータの通信装置の場合には、移動体であるエレベータにおいて、最小通信距離の確保、最大通信距離の確保が課題であり、エレベータの仕様によってはいずれかを達成することが出来ず通信不良となる可能性があるという問題点があった。
【０００４】
この発明は、上記のような問題点を解決するためになされたものであり、移動体であるエレベータでの通信距離の範囲を広く稼ぐことができ、また、短距離通信用アンテナと長距離通信用アンテナの両方で通信する際に起こりうる無線信号の混信を防ぎ、また、使用されている短距離通信用アンテナと長距離通信用アンテナを自動的に切り換えでき、しかもそのアンテナ切換時に発生することが懸念される無線信号のデータ化けを防ぐことができるエレベータ用無線通信装置を提供することを目的とする。
【０００５】
【課題を解決するための手段】
この発明に係るエレベータ用無線通信装置は、エレベータ昇降路の上部に設けられたエレベータ機械室の機器と、上記エレベータ昇降路内を昇降するエレベータかごの機器との通信を無線で行うエレベータ用無線通信装置において、上記エレベータ機械室の機器と上記エレベータかごのそれぞれに短距離通信用アンテナと長距離通信用アンテナの送受信をそれぞれ行う複数種類のアンテナを設けたエレベータ用無線通信装置であって、エレベータ制御盤から上記エレベータかごの機器に出力されるエレベータ制御信号に含まれるエレベータかごの階床位置を示すインジケータ信号を識別し、上記エレベータかごの階床位置が所定の階床位置になったときにアンテナ切換指令を出力するインジケータ識別手段と、上記インジケータ識別手段からの上記アンテナ切換指令に基づいて、使用するアンテナを、短距離領域では上記短距離通信用アンテナ、長距離領域では上記長距離通信用アンテナにそれぞれ切換えて無線通信を行うアンテナ切換手段とを備えるものである。
【０００８】
また、この発明に係るエレベータ用無線通信装置は、上記インジケータ識別手段から上記アンテナ切換手段への指示の際に出力されるアンテナ切換信号は、エレベータ制御信号の無信号領域である通信データのない通信待ち状態の領域で出力されるものである。
【０００９】
【発明の実施の形態】
以下、この発明の実施の形態を、図に基づいて説明する。
実施の形態１．
図１は、この発明の実施の形態１を示す全体構成図である。
図において、１はエレベータ機械室、２はエレベータ制御盤、３は巻上機、４はエレベータ昇降路、５はエレベータかご、６は釣り合い重り、７はロープ、８は昇降路頂部に設置された無線通信装置（以下、昇降路頂部側無線通信装置）、９は短距離通信用アンテナ、１０は長距離通信用アンテナである。
また、１１はエレベータかご５の上部に設置された無線通信装置（以下、かご側無線通信装置）であり、１２は短距離通信用アンテナ、１３は長距離通信用アンテナである。
【００１０】
図２は、この発明の実施の形態１による無線通信装置の回路構成の一例を示す構成図である。
昇降路頂部側無線通信装置８とかご側無線通信装置１１とは兼用である。ここでは、かご側無線通信装置１１として以下説明する。
図２において、１４はＩ／Ｆ回路、１５は変／復調回路、１６はアンテナ切換手段、１７はインジケータ識別手段であり、このインジケータ識別手段１７はＣＰＵ１７ａ、ＲＯＭ１７ｂ、ＲＡＭ１７ｃ、階床設定スイッチ１７ｄを有する。
【００１１】
Ｉ／Ｆ回路１４は、エレベータ機器との通信を行うためのＩ／Ｆ回路であり、ここではエレベータかごの機器との通信を行うためのＩ／Ｆ回路である。変／復調回路１５は、Ｉ／Ｆ回路１４からの信号を変調して短距離通信用アンテナ１２または長距離通信用アンテナ１３に出力するとともに、短距離通信用アンテナ１２または長距離通信用アンテナ１３からの信号を復調してＩ／Ｆ回路１４に出力する。
アンテナ切換手段１６は、インジケータ識別手段１７からの指令に基づいて、使用するアンテナを短距離通信用アンテナ１２または長距離通信用アンテナ１３のいづれかに切換える。
【００１２】
インジケータ識別手段１７は、Ｉ／Ｆ回路１４と変／復調回路１５の間のエレベータ制御信号に含まれるインジケータ信号を識別して、階床設定スイッチ１７ｄにて設定される任意のインジケータ信号すなわちエレベータかごの階床位置になったときに、アンテナ切換手段１６に対してアンテナ切換指令を出力する。例えば、短距離通信用アンテナ１２で通信可能なエレベータかごの階床位置を階床設定スイッチ１７ｄで設定すると、インジケータ信号が階床設定スイッチ１７ｄの値以上のときは、インジケータ識別手段１７からアンテナ切換手段１６に対して短距離通信用アンテナ１２の使用指令を出力して短距離通信用アンテナ１２にて無線通信を行い、インジケータ信号が階床設定スイッチ１７ｄの値より小さいときは、インジケータ識別手段１７からアンテナ切換手段１６に対して長距離通信用アンテナ１３の使用指令を出力して長距離通信用アンテナ１３にて無線通信を行う。
【００１３】
図３は、インジケータ識別手段１７の動作を示すフローチャートである。
ステップＳ１において、電源投入時のインジケータ識別手段１７がアンテナ切換手段１６に対してアンテナ切換信号を出力する。初期値として短距離通信用アンテナ１２を使用する指令を出力する。ステップＳ２において、無線データ通信の確認を行い、無線データ通信が可能であればステップＳ４に進み、無線データ通信が不可能であればアンテナの整合がとれていないため、ステップＳ３に進む。
【００１４】
ステップＳ３において、インジケータ識別手段１７がアンテナ切換手段１６に対して長距離通信用アンテナ１３に切換える指令を出力する。ステップＳ２で、無線データ通信が不可能な場合、昇降路頂部側無線通信装置８とかご側無線通信装置１１間の距離に対してのアンテナの整合がとれていないため、ステップＳ３において、アンテナを切換えて無線データ通信を可能とする。ステップＳ４において、階床設定スイッチ１７ｄの値とインジケータ信号を識別し、階床設定スイッチ１７ｄの値とインジケータ信号の値をＲＡＭ１７ｃに保存する。
【００１５】
ステップＳ５において、無線データ通信が実施中か待機中かの確認し、実施中であれば待機中になるまで繰り返しステップＳ５のステップを実施し、待機中であれば次のステップＳ６に進む。ステップＳ５は、アンテナ切換えを無線データ通信待機中に実施して、アンテナ切換えに伴うデータ化けを防ぐことを目的とするものである。ステップＳ６おいて、ＲＡＭ１７ｃに保存されたインジケータ信号の値と階床設定スイッチ１７ｄの値の比較し、インジケータ信号が階床設定スイッチ１７ｄの値以上であればステップＳ７に進み、インジケータ信号が階床設定スイッチ１７ｄの値より小さければステップＳ８に進む。
【００１６】
ステップＳ７においては、インジケータ識別手段１７がアンテナ切換手段１６に対して短距離通信用アンテナ１２に切換える指令を出力する。ステップ８ではインジケータ識別手段１７がアンテナ切換手段１６に対して長距離通信用アンテナ１３に切換える指令を出力する。インジケータ信号が階床設定スイッチ１７ｄの値以上のときは短距離通信用アンテナ１２にて無線通信を行い、インジケータ信号が階床設定スイッチ１７ｄの値より小さいときは長距離通信用アンテナ１３にて無線通信を行うこととしている。ステップＳ７またはＳ８のステップが完了したら、ステップ４に戻り、同様の動作を電源が遮断されるまで繰り返す。
【００１７】
【発明の効果】
以上のように、この発明によれば、エレベータ機械室の機器とエレベータかごの機器との通信を無線で行うエレベータ用無線通信装置において、上記エレベータ機械室の機器と上記エレベータかごのそれぞれに短距離通信用アンテナと長距離通信用アンテナの複数種類のアンテナを設けたので、移動体であるエレベータでの通信距離の範囲を広く稼ぐことができるという効果がある。
【００１８】
また、この発明によれば、短距離領域では上記短距離通信用アンテナ、長距離領域では上記長距離通信用アンテナにそれぞれ切換えて無線通信を行うためのアンテナ切換手段を備えたので、エレベータ機械室側の無線通信装置とエレベータかご側の無線通信装置が、それぞれ短距離通信用アンテナと長距離通信用アンテナの両方で通信することにより起こりうる無線信号の混信を防ぐことができるという効果がある。
【００１９】
また、この発明によれば、上記アンテナ切換手段の切り換えを指示するインジケータ識別手段を備え、該インジケータ識別手段は、上記アンテナ切換手段の切換基準として、エレベータ制御盤から上記エレベータかごの機器に出力されるエレベータ制御信号に含まれる、エレベータの位置表示を示すインジケータ信号の任意のインジケータ信号に基づいて上記アンテナ切換手段に使用するアンテナへの切り換えを指示するので、自動でのアンテナ切換えが可能になるという効果がある。
【００２０】
また、この発明によれば、上記インジケータ識別手段から上記アンテナ切換手段への指示の際に出力されるアンテナ切換信号は、エレベータ制御信号の無信号領域である通信データのない通信待ち状態の領域で出力されるので、アンテナ切換時に発生することが懸念される無線信号のデータ化けを防ぐことができるという効果がある。
【図面の簡単な説明】
【図１】  この発明の実施の形態１によるエレベータ用無線通信装置を示す構成図である。
【図２】  この発明の実施の形態１によるエレベータ用無線通信装置の要部の一例を示す構成図である。
【図３】  この発明の実施の形態１によるエレベータ用無線通信装置におけるインジケータ識別手段の動作を説明するための図である。
【符号の説明】
１  エレベータ機械室、２  エレベータ制御盤、３  巻上機、４  エレベータ昇降路、５  エレベータかご、６  釣り合い重り、７  ロープ、８  昇降路頂部側無線通信装置、９，１２  短距離通信用アンテナ、１０，１３  長距離通信用アンテナ、１１はかご側無線通信装置、１４  Ｉ／Ｆ回路、１５  変／復調回路、１６  アンテナ切換手段、１７  インジケータ識別手段。
【図１】
0004212824.tif 000002
【図２】
0004212824.tif 000003
【図３】
0004212824.tif 000004